【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
第１の色成分に対応したデータ、第２の色成分に対応したデータ及び第３の色成分に対応したデータに基づいて白成分に対応したデータを導出し、この導出したデータに対応する電圧を白成分に対応した画素に供給する表示素子の駆動方法において、
前記第１の色成分に対応した画素、前記第２の色成分に対応した画素及び前記第３の色成分に対応した画素の何れかの階調が前記導出したデータに等しくなるように、前記第１の色成分に対応したデータ、前記第２の色成分に対応したデータ及び前記第３の色成分に対応したデータを補正し、この補正したデータに対応する電圧を対応する色成分の画素に供給することを特徴とする表示素子の駆動方法。
【請求項２】
赤、緑、青、及び白の４色の画素が予め定められた順序で複数配列され、互いに隣合う赤、緑、青、及び白の各色１つずつの４つの画素により１つの絵素を構成する表示素子を、供給された赤、緑、青の３色の階調データに基づいて駆動する方法において、
１つの絵素の表示色を定義するための赤、緑、青の３色の各階調データＤＲ，ＤＧ，ＤＢの値毎に、
Ｒ’Ｒ＝ＲＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｒ’Ｗ・ＬｍａｘＷ／（ＬｍａｘＲ＋ＬｍａｘＧ＋ＬｍａｘＢ）
Ｒ’Ｇ＝ＲＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｒ’Ｗ・ＬｍａｘＷ／（ＬｍａｘＲ＋ＬｍａｘＧ＋ＬｍａｘＢ）
Ｒ’Ｂ＝ＲＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｒ’Ｗ・ＬｍａｘＷ／（ＬｍａｘＲ＋ＬｍａｘＧ＋ＬｍａｘＢ）
ただし、Ｒ’Ｒ，Ｒ’Ｇ，Ｒ’Ｂ，Ｒ’Ｗは、赤、緑、青、及び白の各色の画素へ入力階調値Ｄ’Ｒ，Ｄ’Ｇ，Ｄ’Ｂ，Ｄ’Ｗに対応する電圧を印加したときの輝度を表示輝度Ｌ’Ｒ，Ｌ’Ｇ，Ｌ’Ｂ，Ｌ’Ｗとし、赤、緑、青、及び白の４色の画素それぞれの最大階調値の輝度を最大階調輝度ＬｍａｘＲ，ＬｍａｘＧ，ＬｍａｘＢ，ＬｍａｘＷとし、前記入力階調値Ｄ’Ｒ，Ｄ’Ｇ，Ｄ’Ｂ，Ｄ’Ｗに対応する電圧を印加したときの輝度率を表示輝度率Ｒ’Ｒ＝Ｌ’Ｒ／ＬｍａｘＲ，Ｒ’Ｇ＝Ｌ’Ｇ／ＬｍａｘＧ，Ｒ’Ｂ＝Ｌ’Ｂ／ＬｍａｘＢ，Ｒ’Ｗ＝Ｌ’Ｗ／ＬｍａｘＷとし、赤、緑、青、及び白の各色の画素へ各階調データＤＲ，ＤＧ，ＤＢに対応する電圧を印加したときの輝度である階調データ輝度をＬＲ，ＬＧ，ＬＢとし、この階調データ輝度をＬＲ，ＬＧ，ＬＢの階調データ輝度率をＲＲ＝ＬＲ／ＬｍａｘＲ，ＲＧ＝ＬＧ／ＬｍａｘＧ，ＲＢ＝ＬＢ／ＬｍａｘＢとし、これら階調データ輝度率をＲＲ，ＲＧ，ＲＢのうちの最小値をＲｍｉｎとし、tを０以上、ＬｍａｘＷ／（ＬｍａｘＷ＋ＬｍａｘＧ＋ＬｍａｘＢ）以下の範囲の予め定めた任意の値とし、
且つ、白色画素の輝度率Ｒ’Ｗは、赤、緑、青、及び白の各色の画素の表示輝度Ｌ’Ｒ，Ｌ’Ｇ，Ｌ’Ｂ，Ｌ’Ｗのうち、これらの値が最も小さい値となる色の画素と、２番目に小さい値となる色の画素が、表示画面上で互いに隣接して配置されている場合には、前記２番目に小さい値となる画素の輝度と実質的に一致させた値とし、
前記表示輝度Ｌ’Ｒ，Ｌ’Ｇ，Ｌ’Ｂ，Ｌ’Ｗのうち、これらの値が最も小さい値となる色の画素と、２番目に小さい値となる色の画素が、表示画面上で互いに隣接していない場合には、前記最も小さい値となる画素の輝度と実質的に一致させた値とする。
の各式を満たすように、赤、緑、青、及び白の各色の画素へ供給する入力階調値Ｄ’Ｒ，Ｄ’Ｇ，Ｄ’Ｂ，Ｃ’Ｗを算出し、これらの階調値Ｄ’Ｒ，Ｄ’Ｇ，Ｄ’Ｂ，Ｃ’Ｗの４色のデータ信号を赤、緑、青、及び白の４色の画素にそれぞれ供給することを特徴とする表示素子の駆動方法。
【請求項３】
白色画素の輝度率Ｒ’Ｗは、輝度率係数ＲｆＲ，ＲｆＧ，ＲｆＢを、
ＲｆＲ＝ＲＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（２ＬｍａｘＲ＋ＬｍａｘＧ＋ＬｍａｘＢ）
ＲｆＧ＝ＲＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋２ＬｍａｘＧ＋ＬｍａｘＢ）
ＲｆＢ＝ＲＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋ＬｍａｘＧ＋２ＬｍａｘＢ）
と定義し、
輝度率係数ＲｆＲ，ＲｆＧ，ＲｆＢの値のうち、最も小さい値の画素が表示画面上で白画素と隣接しているとき、前記輝度率係数ＲｆＧが二番目に小さい値の画素の表示輝度と実質的に等しい値に設定し、
輝度率係数ＲｆＲ，ＲｆＧ，ＲｆＢの値のうち、最も小さい値の画素が表示画面上で白画素と隣接していないときは、前記最も小さい値の画素の表示輝度と実質的に等しい値設定したことを特徴とする請求項２に記載の表示素子の駆動方法。
【請求項４】
赤、緑、青、及び白の４色の画素が予め定められた順序で複数配列され、互いに隣合う赤、緑、青、及び白の各色１つずつの４つの画素により１つの絵素を構成する表示素子を、供給された赤、緑、青の３色の階調データＤＲ，ＤＧ，ＤＢに基づいて赤、緑、青、白の４色の画素にそれぞれ供給する４つの入力階調値Ｄ’Ｒ，Ｄ’Ｇ，Ｄ’Ｂ，Ｄ’Ｗを生成して各画素に供給することにより駆動する方法において、
供給された階調データに対応する赤、緑、青の３色の画素の輝度率をそれぞれＲＲ＝ＤＲ／Ｄｆ，ＲＧ＝ＤＧ／Ｄｆ，ＲＢ＝ＤＢ／Ｄｆ（Ｄｆは最大階調の値）で表し、
階調データＤＲ，ＤＧ，ＤＢが全て０のとき、
前記４つの入力階調値Ｄ’Ｒ，Ｄ’Ｇ，Ｄ’Ｂ，Ｄ’Ｗは、全て０とし、
階調データＤＲ，ＤＧ，ＤＢの少なくとも１つが０以外のとき、
入力階調値Ｄ’Ｒは、
ＤＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｃ’ＬｍａｘＷ／（ＬｍａｘＲ＋ＬｍａｘＧ＋ＬｍａｘＢ）
を整数化した値に、
入力階調値Ｄ’Ｇは、
ＤＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｃ’ＬｍａｘＷ／（ＬｍａｘＲ＋ＬｍａｘＧ＋ＬｍａｘＢ）
を整数化した値に、
入力階調値Ｄ’Ｂは、
ＤＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｃ’ＬｍａｘＷ／（ＬｍａｘＲ＋ＬｍａｘＧ＋ＬｍａｘＢ）
を整数化した値に、
入力階調値Ｄ’Ｗは、Ｃ’を整数化した値に、
ただし、各色画素の輝度率をＲＲ＝ＤＲ／Ｄｆ，ＲＧ＝ＤＧ／Ｄｆ，ＲＢ＝ＤＢ／Ｄｆ（Ｄｆは最大階調の値）とし、Ｒ’Ｒ，Ｒ’Ｇ，Ｒ’Ｂ，Ｒ’Ｗは、赤、緑、青及び白の各色の画素へ入力階調値Ｄ’Ｒ，Ｄ’Ｇ，Ｄ’Ｂ，Ｄ’Ｗに対応する電圧を印加したときの輝度を表示輝度Ｌ’Ｒ，Ｌ’Ｇ，Ｌ’Ｂ，Ｌ’Ｗとし、赤、緑、青及び白の各色の画素それぞれの最大階調値の輝度を最大階調輝度ＬｍａｘＲ，ＬｍａｘＧ，ＬｍａｘＢ，ＬｍａｘＷとし、前記入力階調値Ｄ’Ｒ，Ｄ’Ｇ，Ｄ’Ｂ，Ｄ’Ｗに対応する電圧を印加したときの輝度率を表示輝度率Ｒ’Ｒ＝Ｌ’Ｒ／ＬｍａｘＲ，Ｒ’Ｇ＝Ｌ’Ｇ／ＬｍａｘＧ，Ｒ’Ｂ＝Ｌ’Ｂ／ＬｍａｘＢ，Ｒ’Ｗ＝Ｌ’Ｗ／ＬｍａｘＷとし、赤、緑、青の各色の画素へ各階調データＤＲ，ＤＧ，ＤＢに対応する電圧を印加したときの輝度である階調データ輝度をＬＲ，ＬＧ，ＬＢとし、この階調データ輝度ＬＲ，ＬＧ，ＬＢの階調データ輝度率をＲＲ＝ＬＲ／ＬｍａｘＲ，ＲＧ＝ＬＧ／ＬｍａｘＧ，ＲＢ＝ＬＢ／ＬｍａｘＢとし、これら階調データ輝度率ＲＲ，ＲＧ，ＲＢのうちの最小値をＲｍｉｎとし、tを０以上、ＬｍａｘＷ／（ＬｍａｘＷ＋ＬｍａｘＧ＋ＬｍａｘＢ）以下の範囲の予め定めた任意の値とする。
ここで、Ｃ’は、
第１の階調値係数ＤｆＲ，ＤｆＧ，ＤｆＢを、
ＤｆＲ＝ＤＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（２ＬｍａｘＲ＋ＬｍａｘＧ＋ＬｍａｘＢ）
ＤｆＧ＝ＤＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋２ＬｍａｘＧ＋ＬｍａｘＢ）
ＤｆＢ＝ＤＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋ＬｍａｘＧ＋２ＬｍａｘＢ）
と定義し、
第２の階調値係数ＤｍＲ，ＤｍＧ，ＤｆＢを
ＤｍＲ＝ＤＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}
ＤｍＧ＝ＤＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}
ＤｍＢ＝ＤＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}
と定義し、
これらの第２の階調値係数ＤｍＲ，ＤｍＧ，ＤｆＢのうちの最も小さい値をＤmｍｉｎ、これらの第２の階調値係数ＤｍＲ，ＤｍＧ，ＤｆＢのうちの最も大きい値をＤmｍａｘとしたとき、
第１の階調値係数ＤｆＲ，ＤｆＧ，ＤｆＢのうち、最も小さい値がＤｆＲまたはＤｆＢで、２番目に小さい値がＤｆＧのときは、
Ｄmｍｉｎ＜ＤｆＧの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞ＤｆＧの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＧ、且つＤmｍａｘ−Ｄｆ＞ＤｆＧの場合、
Ｃ’＝ＤｆＧ（ＬｍａｘＲ＋ＬｍａｘＧ＋ＬｍａｘＢ）／ＬｍａｘＷ
第１の階調値係数ＤｆＲ，ＤｆＧ，ＤｆＢのうち、最も小さい値がＤｆＲで、２番目に小さい値がＤｆＢのときは、
Ｄmｍｉｎ＜ＤｆＢの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞ＤｆＢの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＢ、且つＤmｍａｘ−Ｄｆ＞ＤｆＢ以外の場合、
Ｃ’＝ ＤｆＢ（ＬｍａｘＲ＋ＬｍａｘＧ＋ＬｍａｘＢ）／ＬｍａｘＷ
第１の階調値係数ＤｆＲ，ＤｆＧ，ＤｆＢのうち、最も小さい値がＤｆＢで、２番目に小さい値がＤｆＲのときは、
Ｄmｍｉｎ＜ＤｆＲの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞Ｒの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＲ、且つＤmｍａｘ−Ｄｆ＞ＤｆＲ以外の場合、
Ｃ’＝ ＤｆＲ（ＬｍａｘＲ＋ＬｍａｘＧ＋ＬｍａｘＢ）／ＬｍａｘＷ
第１の階調値係数ＤｆＲ，ＤｆＧ，ＤｆＢのうち、最も小さい値がＤｆＧのときは、
Ｄmｍｉｎ＜ＤｆＧの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞ＤｆＧの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＧ、且つＤmｍａｘ−Ｄｆ＞ＤｆＧ以外の場合、
Ｃ’＝ＤｆＧ（ＬｍａｘＲ＋ＬｍａｘＧ＋ＬｍａｘＢ）／ＬｍａｘＷ
にそれぞれ設定して算出し、算出された前記入力階調値Ｄ’Ｒ，Ｄ’Ｇ，Ｄ’Ｂ，Ｄ’Ｗの４色のデータ信号を前記赤、緑、青、及び白の４色の画素にそれぞれ供給することを特徴とする表示素子の駆動方法。
【手続補正２】
【補正対象書類名】明細書
【補正対象項目名】０００６
【補正方法】変更
【補正の内容】
【０００６】
請求項１に記載の発明は、第１の色成分に対応したデータ、第２の色成分に対応したデータ及び第３の色成分に対応したデータに基づいて白成分に対応したデータを導出し、この導出したデータに対応する電圧を白成分に対応した画素に供給する表示素子の駆動方法において、前記第１の色成分に対応した画素、前記第２の色成分に対応した画素及び前記第３の色成分に対応した画素の何れかの階調が前記導出したデータに等しくなるように、前記第１の色成分に対応したデータ、前記第２の色成分に対応したデータ及び前記第３の色成分に対応したデータを補正し、この補正したデータに対応する電圧を対応する色成分の画素に供給することを特徴とする。
【手続補正３】
【補正対象書類名】明細書
【補正対象項目名】０００７
【補正方法】変更
【補正の内容】
【０００７】
請求項２に記載の発明は、赤、緑、青、及び白の４色の画素が予め定められた順序で複数配列され、互いに隣合う赤、緑、青、及び白の各色１つずつの４つの画素により１つの絵素を構成する表示素子を、供給された赤、緑、青の３色の階調データに基づいて駆動する方法において、
１つの絵素の表示色を定義するための赤、緑、青の３色の各階調データＤＲ，ＤＧ，ＤＢの値毎に、
Ｒ’Ｒ＝ＲＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｒ’Ｗ・ＬｍａｘＷ／（ＬｍａｘＲ＋ＬｍａｘＧ＋ＬｍａｘＢ）
Ｒ’Ｇ＝ＲＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｒ’Ｗ・ＬｍａｘＷ／（ＬｍａｘＲ＋ＬｍａｘＧ＋ＬｍａｘＢ）
Ｒ’Ｂ＝ＲＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｒ’Ｗ・ＬｍａｘＷ／（ＬｍａｘＲ＋ＬｍａｘＧ＋ＬｍａｘＢ）
ただし、Ｒ’Ｒ，Ｒ’Ｇ，Ｒ’Ｂ，Ｒ’Ｗは、赤、緑、青、及び白の各色の画素へ入力階調値Ｄ’Ｒ，Ｄ’Ｇ，Ｄ’Ｂ，Ｄ’Ｗに対応する電圧を印加したときの輝度を表示輝度Ｌ’Ｒ，Ｌ’Ｇ，Ｌ’Ｂ，Ｌ’Ｗとし、赤、緑、青、及び白の４色の画素それぞれの最大階調値の輝度を最大階調輝度ＬｍａｘＲ，ＬｍａｘＧ，ＬｍａｘＢ，ＬｍａｘＷとし、前記入力階調値Ｄ’Ｒ，Ｄ’Ｇ，Ｄ’Ｂ，Ｄ’Ｗに対応する電圧を印加したときの輝度率を表示輝度率Ｒ’Ｒ＝Ｌ’Ｒ／ＬｍａｘＲ，Ｒ’Ｇ＝Ｌ’Ｇ／ＬｍａｘＧ，Ｒ’Ｂ＝Ｌ’Ｂ／ＬｍａｘＢ，Ｒ’Ｗ＝Ｌ’Ｗ／ＬｍａｘＷとし、赤、緑、青、及び白の各色の画素へ各階調データＤＲ，ＤＧ，ＤＢに対応する電圧を印加したときの輝度である階調データ輝度をＬＲ，ＬＧ，ＬＢとし、この階調データ輝度をＬＲ，ＬＧ，ＬＢの階調データ輝度率をＲＲ＝ＬＲ／ＬｍａｘＲ，ＲＧ＝ＬＧ／ＬｍａｘＧ，ＲＢ＝ＬＢ／ＬｍａｘＢとし、これら階調データ輝度率をＲＲ，ＲＧ，ＲＢのうちの最小値をＲｍｉｎとし、tを０以上、ＬｍａｘＷ／（ＬｍａｘＷ＋ＬｍａｘＧ＋ＬｍａｘＢ）以下の範囲の予め定めた任意の値とし、
且つ、白色画素の輝度率Ｒ’Ｗは、赤、緑、青、及び白の各色の画素の表示輝度Ｌ’Ｒ，Ｌ’Ｇ，Ｌ’Ｂ，Ｌ’Ｗのうち、これらの値が最も小さい値となる色の画素と、２番目に小さい値となる色の画素が、表示画面上で互いに隣接して配置されている場合には、前記２番目に小さい値となる画素の輝度と実質的に一致させた値とし、
前記表示輝度Ｌ’Ｒ，Ｌ’Ｇ，Ｌ’Ｂ，Ｌ’Ｗのうち、これらの値が最も小さい値となる色の画素と、２番目に小さい値となる色の画素が、表示画面上で互いに隣接していない場合には、前記最も小さい値となる画素の輝度と実質的に一致させた値とする。
の各式を満たすように、赤、緑、青、及び白の各色の画素へ供給する入力階調値Ｄ’Ｒ，Ｄ’Ｇ，Ｄ’Ｂ，Ｃ’Ｗを算出し、これらの階調値Ｄ’Ｒ，Ｄ’Ｇ，Ｄ’Ｂ，Ｃ’Ｗの４色のデータ信号を赤、緑、青、及び白の４色の画素にそれぞれ供給することを特徴とする。
【手続補正４】
【補正対象書類名】明細書
【補正対象項目名】０００８
【補正方法】変更
【補正の内容】
【０００８】
請求項３に記載の発明は、請求項２に記載の表示素子の駆動方法において、
白色画素の輝度率Ｒ’Ｗは、輝度率係数ＲｆＲ，ＲｆＧ，ＲｆＢを、
ＲｆＲ＝ＲＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（２ＬｍａｘＲ＋ＬｍａｘＧ＋ＬｍａｘＢ）
ＲｆＧ＝ＲＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋２ＬｍａｘＧ＋ＬｍａｘＢ）
ＲｆＢ＝ＲＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋ＬｍａｘＧ＋２ＬｍａｘＢ）
と定義し、
輝度率係数ＲｆＲ，ＲｆＧ，ＲｆＢの値のうち、最も小さい値の画素が表示画面上で白画素と隣接しているとき、前記輝度率係数ＲｆＧが二番目に小さい値の画素の表示輝度と実質的に等しい値に設定し、
輝度率係数ＲｆＲ，ＲｆＧ，ＲｆＢの値のうち、最も小さい値の画素が表示画面上で白画素と隣接していないときは、前記最も小さい値の画素の表示輝度と実質的に等しい値に設定したことを特徴とする。
【手続補正５】
【補正対象書類名】明細書
【補正対象項目名】０００９
【補正方法】変更
【補正の内容】
【０００９】
請求項４に記載の発明は、赤、緑、青、及び白の４色の画素が予め定められた順序で複数配列され、互いに隣合う赤、緑、青、及び白の各色１つずつの４つの画素により１つの絵素を構成する表示素子を、供給された赤、緑、青の３色の階調データＤＲ，ＤＧ，ＤＢに基づいて赤、緑、青、白の４色の画素にそれぞれ供給する４つの入力階調値Ｄ’Ｒ，Ｄ’Ｇ，Ｄ’Ｂ，Ｄ’Ｗを生成して各画素に供給することにより駆動する方法において、
供給された階調データに対応する赤、緑、青の３色の画素の輝度率をそれぞれＲＲ＝ＤＲ／Ｄｆ，ＲＧ＝ＤＧ／Ｄｆ，ＲＢ＝ＤＢ／Ｄｆ（Ｄｆは最大階調の値）で表し、
階調データＤＲ，ＤＧ，ＤＢが全て０のとき、
前記４つの入力階調値Ｄ’Ｒ，Ｄ’Ｇ，Ｄ’Ｂ，Ｄ’Ｗは、全て０とし、
階調データＤＲ，ＤＧ，ＤＢの少なくとも１つが０以外のとき、
入力階調値Ｄ’Ｒは、
ＤＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｃ’ＬｍａｘＷ／（ＬｍａｘＲ＋ＬｍａｘＧ＋ＬｍａｘＢ）
を整数化した値に、
入力階調値Ｄ’Ｇは、
ＤＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｃ’ＬｍａｘＷ／（ＬｍａｘＲ＋ＬｍａｘＧ＋ＬｍａｘＢ）
を整数化した値に、
入力階調値Ｄ’Ｂは、
ＤＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}−Ｃ’ＬｍａｘＷ／（ＬｍａｘＲ＋ＬｍａｘＧ＋ＬｍａｘＢ）
を整数化した値に、
入力階調値Ｄ’Ｗは、Ｃ’を整数化した値に、
ただし、各色画素の輝度率をＲＲ＝ＤＲ／Ｄｆ，ＲＧ＝ＤＧ／Ｄｆ，ＲＢ＝ＤＢ／Ｄｆ（Ｄｆは最大階調の値）とし、Ｒ’Ｒ，Ｒ’Ｇ，Ｒ’Ｂ，Ｒ’Ｗは、赤、緑、青及び白の各色の画素へ入力階調値Ｄ’Ｒ，Ｄ’Ｇ，Ｄ’Ｂ，Ｄ’Ｗに対応する電圧を印加したときの輝度を表示輝度Ｌ’Ｒ，Ｌ’Ｇ，Ｌ’Ｂ，Ｌ’Ｗとし、赤、緑、青及び白の各色の画素それぞれの最大階調値の輝度を最大階調輝度ＬｍａｘＲ，ＬｍａｘＧ，ＬｍａｘＢ，ＬｍａｘＷとし、前記入力階調値Ｄ’Ｒ，Ｄ’Ｇ，Ｄ’Ｂ，Ｄ’Ｗに対応する電圧を印加したときの輝度率を表示輝度率Ｒ’Ｒ＝Ｌ’Ｒ／ＬｍａｘＲ，Ｒ’Ｇ＝Ｌ’Ｇ／ＬｍａｘＧ，Ｒ’Ｂ＝Ｌ’Ｂ／ＬｍａｘＢ，Ｒ’Ｗ＝Ｌ’Ｗ／ＬｍａｘＷとし、赤、緑、青の各色の画素へ各階調データＤＲ，ＤＧ，ＤＢに対応する電圧を印加したときの輝度である階調データ輝度をＬＲ，ＬＧ，ＬＢとし、この階調データ輝度ＬＲ，ＬＧ，ＬＢの階調データ輝度率をＲＲ＝ＬＲ／ＬｍａｘＲ，ＲＧ＝ＬＧ／ＬｍａｘＧ，ＲＢ＝ＬＢ／ＬｍａｘＢとし、これら階調データ輝度率ＲＲ，ＲＧ，ＲＢのうちの最小値をＲｍｉｎとし、tを０以上、ＬｍａｘＷ／（ＬｍａｘＷ＋ＬｍａｘＧ＋ＬｍａｘＢ）以下の範囲の予め定めた任意の値とする。
【手続補正６】
【補正対象書類名】明細書
【補正対象項目名】００１０
【補正方法】変更
【補正の内容】
【００１０】
ここで、Ｃ’は、
第１の階調値係数ＤｆＲ，ＤｆＧ，ＤｆＢを、
ＤｆＲ＝ＤＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（２ＬｍａｘＲ＋ＬｍａｘＧ＋ＬｍａｘＢ）
ＤｆＧ＝ＤＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋２ＬｍａｘＧ＋ＬｍａｘＢ）
ＤｆＢ＝ＤＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}（ＬｍａｘＲ＋ＬｍａｘＧ＋ＬｍａｘＢ）／（ＬｍａｘＲ＋ＬｍａｘＧ＋２ＬｍａｘＢ）
と定義し、
第２の階調値係数ＤｍＲ，ＤｍＧ，ＤｆＢを
ＤｍＲ＝ＤＲ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}
ＤｍＧ＝ＤＧ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}
ＤｍＢ＝ＤＢ{１＋ｔＲｍｉｎ（ＬｍａｘＲ＋ＬｍａｘＧ＋ＬｍａｘＢ）／（ＲＲＬｍａｘＲ＋ＲＧＬｍａｘＧ＋ＲＢＬｍａｘＢ）}
と定義し、
これらの第２の階調値係数ＤｍＲ，ＤｍＧ，ＤｆＢのうちの最も小さい値をＤmｍｉｎ、これらの第２の階調値係数ＤｍＲ，ＤｍＧ，ＤｆＢのうちの最も大きい値をＤmｍａｘとしたとき、
第１の階調値係数ＤｆＲ，ＤｆＧ，ＤｆＢのうち、最も小さい値がＤｆＲまたはＤｆＢで、２番目に小さい値がＤｆＧのときは、
Ｄmｍｉｎ＜ＤｆＧの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞ＤｆＧの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＧ、且つＤmｍａｘ−Ｄｆ＞ＤｆＧの場合、
Ｃ’＝ＤｆＧ（ＬｍａｘＲ＋ＬｍａｘＧ＋ＬｍａｘＢ）／ＬｍａｘＷ
第１の階調値係数ＤｆＲ，ＤｆＧ，ＤｆＢのうち、最も小さい値がＤｆＲで、２番目に小さい値がＤｆＢのときは、
Ｄmｍｉｎ＜ＤｆＢの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞ＤｆＢの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＢ、且つＤmｍａｘ−Ｄｆ＞ＤｆＢ以外の場合、
Ｃ’＝ ＤｆＢ（ＬｍａｘＲ＋ＬｍａｘＧ＋ＬｍａｘＢ）／ＬｍａｘＷ
第１の階調値係数ＤｆＲ，ＤｆＧ，ＤｆＢのうち、最も小さい値がＤｆＢで、２番目に小さい値がＤｆＲのときは、
Ｄmｍｉｎ＜ＤｆＲの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞Ｒの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＲ、且つＤmｍａｘ−Ｄｆ＞ＤｆＲ以外の場合、
Ｃ’＝ ＤｆＲ（ＬｍａｘＲ＋ＬｍａｘＧ＋ＬｍａｘＢ）／ＬｍａｘＷ
第１の階調値係数ＤｆＲ，ＤｆＧ，ＤｆＢのうち、最も小さい値がＤｆＧのときは、
Ｄmｍｉｎ＜ＤｆＧの場合、
Ｃ’＝Ｄmｍｉｎ（ＬｍａｘＲ＋ＬｍａｘＧ＋ＬｍａｘＢ）／ＬｍａｘＷ
Ｄmｍａｘ−Ｄｆ＞ＤｆＧの場合、
Ｃ’＝（Ｄmｍａｘ−Ｄｆ）（ＬｍａｘＲ＋ＬｍａｘＧ＋ＬｍａｘＢ）／ＬｍａｘＷ
Ｄmｍｉｎ＜ＤｆＧ、且つＤmｍａｘ−Ｄｆ＞ＤｆＧ以外の場合、
Ｃ’＝ＤｆＧ（ＬｍａｘＲ＋ＬｍａｘＧ＋ＬｍａｘＢ）／ＬｍａｘＷ
にそれぞれ設定して算出し、算出された前記入力階調値Ｄ’Ｒ，Ｄ’Ｇ，Ｄ’Ｂ，Ｄ’Ｗの４色のデータ信号を前記赤、緑、青、及び白の４色の画素にそれぞれ供給することを特徴とする。